(57)【要約】      （修正有）【課題】基礎と柱基盤にタガと、柱の基盤にそれぞれゲージを開け、大、小の鋼球転動スライドを挿置した断震支構造を提供する。【解決手段】基礎の激震連動エネルギーを吸収して、ゼロにするスライド断震構造で体感のないまでになる。ハリケーン、陥落直下地震の上下動は基礎タガのスライド抑えで安定し、凹面落差のショックアブソーバー及び対向角度で風圧を押し返し、引力センターに安定する。全振動を断震する構造。特定耐震機器及び装置が不要で、簡単な構成で完成できるメリットと、その他の目的、防災池を容易に造成出来る地震連動を断震・風圧遮断の支持構造である。【選択図】なし【特許請求の範囲】
本発明は、激震や台風・竜巻等が建物等の構造物に及ぼす連振動を遮断する装置に関するものである。
【請求項１】
地震の連動エネルギーを断つために、基礎に凹、柱に凸の大球面の鋼板を同体として、対象させる。そのゲージに制御枠に囲まれた球の球周接触鋼球大と小の無相克（コンフリクトレス）整合ブロックを挿置する。基礎凹の激震で受圧球大は小球に、小球は大球に連鎖し、無相克の転動受圧球が一斉同転して地震の連動エネルギーを吸収して断震する断震構造。
【請求項２】
竜巻等の台風は、瞬時、建物を移動させるから、基礎の凹落差傾斜角度と自重降下のショックアブソーバーとの相乗で対抗力が増加して押し返す。
直下陥没地震の上下動では、基礎のタガ抑え盤が柱基盤を抑えて無摩擦スライドする。建物は受圧大球の自転で引力センターに合致する断震支構造。
【発明の詳細な説明】
【０００１】震動を遮断する目的に関するものである。
【０００２】
【従来の技術】
バネ、ゴム、鉛、バランス等で震動を暖和する装置及び製作物をベタ基礎等に結合して、耐震効果をもたらす方法である。
【０００３】
【発明が解決しようとする課題】
結合せず、無摩擦の球の大小集団ブロックに戴置して構築する仕様である。
【０００４】
【課題を解決するための手段】
本発明により、地震等の連動エネルギーは、無摩擦スライドで断震することができる。
【０００５】
構造物の基礎または一階上部・柱の間にボールを介在させ、ボールの転びで地震等の震動を遮断するものであり、従来は、基礎と柱とを連結していたから震動が上部構造物に及んでいた。
【０００６】
本発明の原理は、ちょうど、水上の船に地震の震動が及ばないように、ボールの転動浮力で地震連動を遮断するものである。
【０００７】
基礎及びタガと柱基盤に同体とした目的の構造物に適当する球周の外面を凹凸鋼板で対象させる。その対照ゲージに、受圧用鋼球大、接触する助転球大と小を整合させた制御枠で囲った無摩擦のスライドを挿置した後、これを曲線鉄骨にプレスし、密触させて対照の凹凸それぞれに仮締めして、コンクリートで包括する。
【０００８】
連動発生震動で凹が受圧球大を転動させると、全周囲の小球は助転して、大球の相克なく、いっせいに動転し、無摩擦スライドで連動エネルギーを吸収断震する。そして、この場合、人体には無感である。
【０００９】
直下陥没地震、ハリケーン等の場合、浮上、吹き上げの圧力が発生するから、基礎が上肢のタガ抑え盤の役割を果たす。
【００１０】
タガ抑え盤は、地震動に逆らわず、基礎に同体で柱基盤を抑える。
【００１１】
ハリケーンの風圧で建物が一瞬移動したら凹の落差約１５ｍｍとその傾斜角度の対抗力及び降下ショックアブソーバーとの相乗で対風圧力が増大し、建物は安全である。
【００１２】
無摩擦スライドを保全するケイ酸ソーダ（ＮＡ２Ｓ１０３）等の潤滑、防さび、不凍の特殊粘液その他を充てんし、補充保温して、半永久無摩擦スライドとする。
【００１３】
凹凸鋼板の硬度は、１０ｍｍ鋼球直圧１トンを加圧したが、くぼみは見られなかった。鋼板には、ＨＲＣ５０を用い、８０ｃｍ角の柱で支持受圧力３２００トンとなる。なお、地震連動の柱のねじれ鉄骨鉄筋のストリップ等がなく、柱体強化で柱が半数以下で可となる。
【００１４】
凹凸曲面鋼板の反発力より加重が大になれば、曲面線鉄骨の両端の仮締めを解除して、断震スライドが活成する。
【００１５】
【発明実施の態様】
本発明を添付する図面により説明する。
【図面の簡単な説明】
【図１】基礎タガの東北震移動を示す平面図である。
【図２】基礎タガ・柱基盤・無摩擦スライド構成の断面図２Ａは斜視図である。
【図３】地震発生時、基礎タガの連動（４０ｃｍ）状態のイメージアップ図である。
【図４】断振のスライド球制御枠の斜視図である。
【図５】タガの斜視図である。
【図６】タガの抑え盤図である。
【図７】球穴型決め図である。（治具）
【図７−１】大球穴ふさぎ小球入れ部分の斜視図である。（治具）
【図８】凹凸成型プレス図である。（治具）
【図９】球穴型の部分斜視図である。（治具）
【図１０】無摩擦スライド凹部分の斜視図である。
【図１１】球面線鉄骨鉄筋（コンクリート）に重ねた凹凸鋼板とのセット図
【符号の説明】
１・・・基礎タガ
２・・・凹凸結合ボルト
３・・・受圧鋼球大（１０．３１８ｍｍ，０．７ミクロンの硬度、ＨＲＣ６２）
４・・・点接同転鋼球小（８．７３ｍｍ）
５・・・受圧１００ｍ球凹、曲面鋼板ＨＲＣ５０
６・・・重圧球曲凸面鋼板
７・・・球曲線枠
８・・・ケイ酸ソーダ
９・・・柱基盤
１０・・・補充液用パイプ
１１・・・パッキン
１２・・・ポールカバー
１３・・・包括コンクリート、スライド上下
１４・・・タガ抑盤結合鉄骨
１５・・・鉄骨鉄筋コンクリート骨材
１６・・・凹スライドブロック曲面鉄骨鉄筋コンクリート
１７・・・球曲面プレスボールト（治具）
１８・・・プレスボールトナット（治具）
１９・・・球曲面鉄骨仮締め（治具）
２０・・・コンクリート仮枠（治具）
２１・・・プレス構架（治具）
２２・・・球曲面線鉄骨  ２２−Ａ  プレス状態（治具）
２３・・・基礎タガ
２４・・・タガ抑え盤
２５・・・球スライドブロック
２６・・・球穴型決め（治具）
２７・・・球大小位置決め（治具）
【００１６】
【発明の効果】
本発明は上述のように地震及び台風の上昇と降下ショックを無とする。
基礎と箍の柱基盤との無摩擦スライドで屋内での無体感の断震及耐圧を実現する。
【００１７】
【発明の詳細な仕様書】
１．  当該築造物に適合するように組成した球曲面線鉄骨・鉄筋上の水平鋼板に粘性防サビを塗る。
２．  穴型〔９図〕を位置枠（７図）の穴型突起棒にはめ込む。
３．  大球穴に誤入せぬようにふさぎをして（７−１）、全小鋼球をはめ込む。
４．  穴型を水平につり上げ（９図）、定位地穴を突起棒にはめ込む。
５．  大球は転動フリーで全球をはめ込む。
６．  コンクリートモルタル隔壁版・ゲージ隔材・カバーパッキン補給パイプ・  ＮＡ２Ｓ１０３を充足し、鋼板及びブロック組成鉄骨鉄筋を重ねる。
７．  凹凸スライドブロックをプレス構（図８）に据えて仮締めボルトナットでプレスし、凹凸成型球面とする。
８．  コンクリート仮枠を施工し、コンクリートを圧入する。
９．  加重が鋼板発力に勝れば仮締めを解く。
１０．  基礎タガは１／４にして、組み合わせタガ抑え盤（６図）に結合する。地震風圧連動に抵抗せず、半永久的に安全である。なお、技能者では容易に完成する。
【図１】
2005054351.tif 000002
【図２】
2005054351.tif 000003
【図４】
2005054351.tif 000004
2005054351.tif 000005
【図５】
2005054351.tif 000006
【図６】
2005054351.tif 000007
【図７】
2005054351.tif 000008
【図７−１】
2005054351.tif 000009
【図８】
2005054351.tif 000010
【図９】
2005054351.tif 000011
【図３】
2005054351.tif 000012
【図１０】
2005054351.tif 000013
【図１１】
2005054351.tif 000014
【図２２】
2005054351.tif 000015
【手続補正書】
【提出日】平成15年3月18日(2003.3.18)
【手続補正１】
【補正対象書類名】明細書
【補正対象項目名】図面の簡単な説明
【補正方法】変更
【補正の内容】
【図面の簡単な説明】
【図１】基礎タガの東北震移動を示す平面図である。
【図２Ａ】基礎タガ・柱基盤・無摩擦スライド構成の断面図である。
【図２Ｂ】基礎タガ・柱基盤・無摩擦スライド構成の斜視図である。
【図３】地震発生時、基礎タガの連動（４０ｃｍ）状態のイメージアップ図である。
【図４】断振のスライド球制御枠の斜視図である。
【図５】タガの斜視図である。
【図６】タガの抑え盤図である。
【図７Ａ】球穴型決め図である。
【図７Ｂ】大球穴ふさぎ小球入れ部分の斜視図である。（治具）
【図８】凹凸成型プレス図である。（治具）
【図９】球穴型の部分斜視図である。（治具）
【図１０】無摩擦スライド凹部分の斜視図である。
【図１１】球面線鉄骨鉄筋（コンクリート）に重ねた凹凸鉄板とのセット図である。
【符号の説明】
１・・・基礎タガ
２・・・凹凸結合ボルト
３・・・受圧硬球大（１０．３１８ｍｍ，０．７ミクロンの硬度、ＨＲＣ６２）４・・・点接同転硬球小（８．７３ｍｍ）
５・・・受圧１００ｍ球凹凸、曲面鋼板ＨＲＣ５０
６・・・重圧球曲凹面鋼板
７・・・球面線枠
８・・・ケイ酸ソーダ
９・・・柱基盤
１０・・補充液用パイプ
１１・・パッキン
１２・・ポールカバー
１３・・包括コンクリート、スライド上下
１４・・タガ抑盤結合鉄骨
１５・・鉄骨鉄筋コンクリート骨材
１６・・凹スライドブロック曲面鉄骨鉄筋コンクリート
１７・・球曲面プレスボールト（治具）
１８・・プレスボールトナット（治具）
１９・・球曲面鉄骨仮締め（治具）
２０・・コンクリート仮枠（治具）
２１・・プレス構架（治具）
２２・・球曲面線鉄骨  ２２−Ａ  プレス状態（治具）
２３・・基礎タガ
２４・・タガ抑え盤
２５・・球スライドブロック
２６・・球穴型決め（治具）
２７・・球大小位置決め（治具）


【手続補正２】
【補正対象書類名】図面
【補正対象項目名】全図
【補正方法】変更
【補正の内容】
【図１】
2005054351.tif 000016
【図２Ａ】
2005054351.tif 000017
【図２Ｂ】
2005054351.tif 000018
【図３】
2005054351.tif 000019
【図４】
2005054351.tif 000020
【図５】
2005054351.tif 000021
【図６】
2005054351.tif 000022
【図７Ａ】
2005054351.tif 000023
【図７Ｂ】
2005054351.tif 000024
【図８】
2005054351.tif 000025
【図９】
2005054351.tif 000026
【図１０】
2005054351.tif 000027
【図１１】
2005054351.tif 000028
【手続補正書】
【提出日】平成16年10月28日(2004.10.28)
【手続補正１】
【補正対象書類名】明細書
【補正対象項目名】特許請求の範囲
【補正方法】変更
【補正の内容】
【特許請求の範囲】
【請求項１】
建造物の基礎に、凹型の受圧用の半円形鋼板とこれに建造物の基礎柱を接合した凸型の押圧用半円型鋼板を対象するように装置し、これら両鋼板の挟間に大小２種類の鋼球群を配置し、その周囲を制御枠で囲み、振動発生時にはこれら大小鋼球の無相克（無摩擦）一斉スライドによって地震の連動エネルギーを吸収して断振する断振構造
【請求項２】
建造物の基礎に、凹型の受圧用の半円形鋼板とこれに建造物の基礎柱を接合した凸型の押圧用半円形鋼板を対象するように装置し、これら両鋼板の挟間に大小２種類の鋼球群を配置、その周囲を制御枠で囲み、瞬時に建造物を移動させる台風等の風圧に対し基礎の凹落差傾斜角度と自重降下のショックアブソーバーとの相乗効果で対抗力が増加して建造物を原位置に押し返す断振構造